(57)【特許請求の範囲】
【請求項１】
蓋と底板とを組み付けることができる棺壁用の半完成品であって、
相対する蓋側の辺と底板側の辺とをそれぞれ有する複数の壁パネルに画定される半完成品本体と、前記複数の壁パネルの少なくともいくつかの壁パネルの底板側の辺に一体形成された底板支持部材と、前記複数の壁パネルの少なくともいくつかの壁パネルの蓋側の辺に一体形成されたフラップ部材とを備え、
前記複数の壁パネルは、順に連なる第１端壁パネルと、少なくとも１つの第１側壁パネルおよび少なくとも１つの第２の側壁パネルと、第２端壁パネルとを含み、前記第１端壁パネルおよび前記第１側壁パネル、前記第２側壁パネルおよび前記第２端壁パネル、並びに隣接する側壁パネル同士は、折り曲げ用の低強度ラインによってそれぞれ区分されており、
前記底板支持部材と壁パネルとは折り曲げ用の低強度ラインによって区分されていて、該底板支持部材は、該底板を受け止めるための棚部を形成するように、該壁パネルに対して前記低強度ラインによって略直角に折り曲げ可能になされており、
前記フラップ部材と壁パネルとは折り曲げ用の低強度ラインによって区分されていて、該フラップ部材は、該フラップ部材と壁パネルとの間に棺壁に剛性を与える挿入物を挟み込むために、該壁パネルに対して前記低強度ラインによって内側に折り曲げ可能になされている棺の半完成品。
【請求項２】
請求項１の棺の半完成品において、
各壁パネルは、対応する底板支持部材とフラップ部材とを有する。
【請求項３】
請求項１の棺の半完成品において、
前記低強度ラインは、半完成品の加工を容易にする折り曲げ線、溝および切り込み線のうちの１つである。
【請求項４】
請求項１の棺の半完成品において、
前記底板支持部材の縁部は、半完成品の組立時に容易に取り付けられるように面取りされている。
【請求項５】
請求項１〜４のいずれか１つの棺の半完成品において、
前記半完成品本体を形成する材料は、生分解性材料である。
【請求項６】
請求項１〜５のいずれか１つの棺の半完成品において、
前記半完成品本体を形成する材料は、波形層を有する段ボール材料である。
【請求項７】
請求項６の棺の半完成品において、
前記材料は、２層以上のライナーに挟まれた３層以上の波形層を有する。
【請求項８】
請求項１〜７のいずれか１つの棺の半完成品において、
前記半完成品本体の外面の少なくとも一部に設けられる装飾用外被膜をさらに備える。
【請求項９】
請求項８の棺の半完成品において、
前記外被膜は、意匠が印刷されたものである。
【請求項１０】
蓋と底板とを組み付けることができる棺壁用の半完成品と挿入物とを備えてなり、
前記半完成品は、相対する蓋側の辺と底板側の辺とをそれぞれ有する複数の壁パネルに画定される半完成品本体と、前記複数の壁パネルの少なくともいくつかの壁パネルの底板側の辺に一体形成された底板支持部材と、前記複数の壁パネルの少なくともいくつかの壁パネルの蓋側の辺に一体形成されたフラップ部材とを備え、
前記複数の壁パネルは、順に連なる第１端壁パネルと、少なくとも１つの第１側壁パネルおよび少なくとも１つの第２の側壁パネルと、第２端壁パネルとを含み、
前記挿入物は、前記半完成品から形成される棺の側壁に剛性を与えるものであって、耐荷重性支持部材を備えており、
前記フラップ部材が前記壁パネルに対して内側に折り曲げられ、該フラップ部材と壁パネルとの間に前記挿入物が挟み込まれて拘束固定される棺の側壁組立品。
【請求項１１】
請求項１０の棺の側壁組立品において、
前記挿入物の一部に切り欠きが設けられており、前記耐荷重性支持部材は前記切り欠きに嵌め込み可能である。
【請求項１２】
請求項１１の棺の側壁組立品において、
前記挿入物は、縁部に沿って配置された複数の剛性部材をさらに備える。
【請求項１３】
請求項１０〜１２のいずれか１つの棺の側壁組立品において、
各壁パネルとそれに対応するフラップ部材とは、第１低強度ラインによって区分されている。
【請求項１４】
請求項１３の棺の側壁組立品において、
各壁パネルとそれに対応する底板支持部材とは、第２低強度ラインによって区分されている。
【請求項１５】
請求項１４の棺の側壁組立品において、
前記低強度ラインは、半完成品の加工を容易にする折り曲げ線、溝および切り込み線のうちの１つである。
【請求項１６】
請求項１０の棺の側壁組立品において、
前記第１端壁パネルおよび前記第１側壁パネル、前記第２側壁パネルおよび前記第２端壁パネル、ならびに隣接する側壁パネル同士は、低強度ラインによってそれぞれ区分されている。
【請求項１７】
請求項１６の棺の側壁組立品において、
前記第１端壁パネルは、矩形状をなし、その全体が第１端壁の少なくとも一部を形成するように、前記第１側壁パネルに対して略直角に折り曲げ可能である。
【請求項１８】
請求項１６の棺の側壁組立品において、
前記第２端壁パネルは、矩形状をなし、その全体が第１端壁に対向する第２端壁の少なくとも一部を形成するように、前記第２側壁パネルに対して略直角に折り曲げ可能である。
【請求項１９】
請求項１０の棺の側壁組立品において、
前記底板支持部材の縁部は、半完成品の組立時に容易に取り付けられるように面取りされている。
【請求項２０】
請求項１０〜１９のいずれか１つの棺の側壁組立品において、
前記半完成品本体を形成する材料は、生分解性材料である。
【請求項２１】
請求項２０の棺の側壁組立品において、
前記材料は、２層以上のライナーに挟まれた３層以上の波形層を有する段ボール材料で構成されている。
【請求項２２】
請求項１０〜２１のいずれか１つの棺の側壁組立品において、
前記棺の端部を強化する一対の端部パネル挿入物をさらに備える。
【請求項２３】
請求項１６〜１８のいずれか１つに従属する請求項２２の棺の側壁組立品において、
前記一対の端部パネル挿入物のうちの第１端部パネル挿入物が、一対の半完成品のそれぞれの前記第１端壁パネルに重なるように配置される中央部と、一対の半完成品のそれぞれの前記第１側壁パネルの一部に重なるように配置される翼状部とを備え、前記一対の端部パネル挿入物のうちの第２端部パネル挿入物が、前記一対の半完成品のそれぞれの前記第２端壁パネルに重なるように配置される中央部と、一対の半完成品のそれぞれの前記第２側壁パネルの一部に重なるように配置される翼状部とを備えている。
【請求項２４】
請求項１０〜１７のいずれか１つの棺の側壁組立品において、
底板をさらに備え、
前記挿入物として、それぞれ少なくとも部分的に前記底板と連続している第１パネル挿入物および第２パネル挿入物を備えている。
【請求項２５】
請求項２４の棺の側壁組立品において、
前記第１パネル挿入物および前記第２パネル挿入物の連続部分は、それぞれ低強度ラインによって前記底板から区分されている。
【請求項２６】
請求項２４または２５の棺の側壁組立品において、
少なくとも一部が前記底板の先端部分に連続している第１端部パネルと、
少なくとも一部が前記底板の末端部分に連続している第２端部パネルとをさらに備える。
【請求項２７】
請求項１０〜２６のいずれか１つの棺の側壁組立品において、
前記壁パネルの外面に取り付け可能な運搬用ハンドルをさらに備える。
【請求項２８】
請求項２７の棺の側壁組立品において、
各運搬用ハンドルは、隣接する壁パネルとの間に支持部材を挟むように内側に折り畳まれたフラップパネルと、前記壁パネルと、前記支持部材とを貫通する保持部材を含む。
【請求項２９】
請求項１０〜２８のいずれか１つの棺の側壁組立品は、
前記半完成品本体の外面の少なくとも一部に設けられる装飾用外被膜をさらに備える。
【請求項３０】
請求項２９の棺の側壁組立品において、
前記外被膜は、意匠が印刷されたものである。
【発明の詳細な説明】
【技術分野】
【０００１】
本発明は、棺の半完成品に関する。さらに、本発明は棺の側壁組立品および棺の蓋組立品に関するものである。
【背景技術】
【０００２】
棺の価格上昇を受け、棺製造業者は、様々な低コスト材料を使用するようになった。このような材料としては、プラスチックおよびチップボードや中質繊維板（ＭＤＦ）等の低品位パーティクルボードが挙げられる。
【０００３】
環境への配慮が進む中で、チップボードおよびＭＤＦは、精査の対象になりつつある。これらの材料のいずれかを用いて作られた棺は、木材を無駄に消費し、燃焼時に化学汚染物質を発生させるだけでなく、埋葬した場合には非常に分解されにくい。一方、ボール紙や段ボール等の生分解性材料は、環境の面から非常に有利である。
【０００４】
ボール紙や段ボールを使用する際の重要な問題は、その外観である。利用者は一般的に、安価に購入できて高価に見える製品を望んでいる。同様に重要な点は、ボール紙やその他の類似材料から製造された棺は構造保全性に欠けるということである。このことは、使用時において棺を運搬する際に問題を生じる。持ち手が設けられていても、通常は装飾用のものでしかない。また通常、蓋は接着剤で永久封止しなければならず、開閉することができない。
【発明の開示】
【０００５】
第１の観点において、本発明は、蓋と底板とを組み付けることができる棺壁用の半完成品であって、
相対する蓋側の辺と底板側の辺とをそれぞれ有する複数の壁パネルに画定される半完成品本体と、前記複数の壁パネルの少なくともいくつかの壁パネルの底板側の辺に一体形成された底板支持部材と、前記複数の壁パネルの少なくともいくつかの壁パネルの蓋側の辺に一体形成されたフラップ部材とを備え、
前記複数の壁パネルは、順に連なる第１端壁パネルと、少なくとも１つの第１側壁パネルおよび少なくとも１つの第２の側壁パネルと、第２端壁パネルとを含み、前記第１端壁パネルおよび前記第１側壁パネル、前記第２側壁パネルおよび前記第２端壁パネル、並びに隣接する側壁パネル同士は、折り曲げ用の低強度ラインによってそれぞれ区分されており、
前記底板支持部材と壁パネルとは折り曲げ用の低強度ラインによって区分されていて、該底板支持部材は、該底板を受け止めるための棚部を形成するように、該壁パネルに対して前記低強度ラインによって略直角に折り曲げ可能になされており、
前記フラップ部材と壁パネルとは折り曲げ用の低強度ラインによって区分されていて、該フラップ部材は、該フラップ部材と壁パネルとの間に棺壁に剛性を与える挿入物を挟み込むために、該壁パネルに対して前記低強度ラインによって内側に折り曲げ可能になされている。
【０００６】
好ましくは、各壁パネルは、対応する底板支持部材とフラップ部材とを有する。低強度ラインは、半完成品の加工を容易にする折り曲げ線、溝、切り込み線またはその他の類似手段であってもよい。
【０００７】
第１端壁パネルは、第１端壁の少なくとも一部を形成するように、第１側壁パネルに対して略直角に折り曲げ可能であってもよい。第２端壁パネルは、第１端壁に対向する第２端壁の少なくとも一部を形成するように、第２側壁パネルに対して略直角に折り曲げ可能であってもよい。
【０００８】
好ましくは、棺の形成時には、複数の壁パネルは外壁を構成し、フラップ部材は内壁を構成する。
【０００９】
底板支持部材の縁部は、半完成品の組立時に容易に取り付けられるように面取りされていてもよい。
【００１０】
任意にあるいは追加として、各フラップ部材は、対応する壁パネルより短くてもよい（フラップ部材と対応する壁パネルを区分する低強度ラインに平行な方向で測定）。こうすることにより、フラップ部材を低強度ラインに沿って簡単に折り畳むことができ、隣接する壁パネルを区分する低強度ラインに沿って簡単に壁パネルを折り曲げることができる。
【００１１】
使用時には、一対の半完成品を加工して棺の側壁および端壁を形成する。底板支持部材は、それぞれ対応する壁パネルに対して直角に折り曲げることにより、底板を受け止める棚部を形成する。
【００１２】
半完成品本体を形成する材料は、生分解性材料であってもよい。任意にあるいは追加として、半完成品本体を形成する材料は、可撓性材料であってもよい。底板は、半完成品本体と同じ材料で形成されていてもよい。任意にあるいは追加として、半完成品本体を形成する材料は、セルロース材料であってもよい。任意にあるいは追加として、当該材料は波形層によって強化されていてもよい。例えば、当該材料は、４層のライナーの間に挟まれた３層の波形層で構成されていてもよい。当該材料が波形材料である場合、半完成品は、波形層の波形の方向が半完成品の幅に交差するように形成される。こうすることにより、形成された棺の各領域において強度が向上し、さらにはパネル部の歪を防止することができる。任意にあるいは追加として、半完成品の材料は、環境保護基準を満たす材料を選択してもよい。
【００１３】
第２の観点において、本発明は、蓋と底板とを組み付けることができる棺壁用の半完成品と挿入物とを備えてなる棺の側壁組立品であり、前記半完成品は、相対する蓋側の辺と底板側の辺とをそれぞれ有する複数の壁パネルに画定される半完成品本体と、前記複数の壁パネルの少なくともいくつかの壁パネルの底板側の辺に一体形成された底板支持部材と、前記複数の壁パネルの少なくともいくつかの壁パネルの蓋側の辺に一体形成されたフラップ部材とを備え、
前記複数の壁パネルは、順に連なる第１端壁パネルと、少なくとも１つの第１側壁パネルおよび少なくとも１つの第２の側壁パネルと、第２端壁パネルとを含み、
前記挿入物は、前記半完成品から形成される棺の側壁に剛性を与えるものであって、耐荷重性支持部材を備えており、
前記フラップ部材が前記壁パネルに対して内側に折り曲げられ、該フラップ部材と壁パネルとの間に前記挿入物が挟み込まれて拘束固定される。
【００１４】
挿入物は、半完成品本体と同じ材料で形成されていてもよい。
【００１５】
支持部材は、葬儀業界で好適に用いられる木材またはその他の剛性材料で形成されていてもよい。
【００１６】
挿入物の一部に切り欠きが設けられていてもよく、耐荷重性支持部材はその切り欠きに嵌め込まれていてもよい。
【００１７】
挿入物は、複数の剛性部材をさらに備えていてもよい。剛性部材は、挿入物の縁部に沿って配置されていてもよい。剛性部材は、支持部材と同じ材料で形成されていてもよい。
【００１８】
挿入物は、第１側壁パネルの少なくとも一部および前記第２またはそれ以降の側壁パネルの少なくとも一部に固着されていてもよい。
【００１９】
棺の端部を強化するために、一対の端部パネル挿入物をさらに設けてもよい。第１端部パネル挿入物が、一対の半完成品のそれぞれの第１端壁パネルおよび前記第１側壁パネルの一部の上に重なるように配置され、第２端部パネル挿入物が、一対の半完成品のそれぞれの第２端壁パネルおよび第２側壁パネルの一部の上に重なるように配置されていてもよい。
【００２０】
各端部パネル挿入物は、半完成品本体と同じ材料で形成されていてもよい。
【００２１】
側壁組立品は、底板をさらに備えていてもよい。一実施例において、側壁組立品が底板を含む場合には、挿入物は全体的または部分的に底板と連続（一体化）していてもよい。挿入物および底板は、低強度ラインによって区分されていてもよい。低強度ラインは、側壁組立品の加工を容易にする折り曲げ線、溝、切り込み線およびその他の類似手段のうちの１つであってもよい。挿入物は、第１パネル挿入物および第２パネル挿入物を含んでいてもよい。このうち少なくとも１つのパネル挿入物が、底板の肩部接合点から延びる翼状パネルを含んでいてもよい。この少なくとも１つのパネルと翼状パネルは、上記したように低強度ラインによって区分されていてもよい。
【００２２】
上記実施例において、第１端壁パネルは、全体的または部分的に底板の先端部分に連続していてもよく、第２端壁パネルは、全体的または部分的に底板の末端部分に連続していてもよい。第１端壁パネルと底板の先端部分は低強度ラインによって区分されていてもよく、第２端壁パネルと底板の末端部分は低強度ラインによって区分されていてもよい。必要に応じて、それぞれ端壁パネルの端部に連続し、低強度ラインによって区分される複数の端壁挿入物を設けてもよい。
【００２３】
いずれの実施例においても、運搬用ハンドルが壁パネルの外面に取り付けられていてもよい。各運搬用ハンドルは、保持部材を含んでいてもよい。保持部材は、運搬用ハンドルの動きを制限するように、壁パネルを貫通して支持部材に固定されていてもよい。
【００２４】
上記第１または第２の観点あるいはそのいずれの実施例に基づく半完成品の外面の少なくとも一部に、装飾用外被膜を設けてもよい。半完成品の外面は、直接印刷、ラミネート加工または手作業によって装飾されていてもよい。外被膜は、個人化を行うための意匠が印刷されたものである。外被膜は、薄膜、皮膜または例えばポリエステルフィルム等のその他の類似の被膜であってもよい。必要に応じて、外被膜は紙を主原料とする製品であってもよい。外被膜は環境保護基準を満たすように適切に選択されてもよい。
【００２５】
印刷外被膜は、棺の組立前または組立後に設けてもよい。
【００２６】
印刷外被膜は、機械的処理によって上記第１または第２の観点に基づく半完成品に設けられていてもよい。例えば、機械的方法としては、印刷業界において用いられるロールオン技術が挙げられる。または、印刷外被膜は手作業によって設けられていてもよい。
【００２７】
上記第１の観点に基づく半完成品および側壁組立品はまた、多目的ボックスの形成にも適している。
【００２８】
有利な点として、半完成品および側壁組立品は、必要に応じて効率的に保管および組立が可能である。
【００２９】
本発明の少なくとも１つの実施例による有利な点は、高度に個人化することができる棺を提供できることである。
【００３０】
本発明の少なくとも１つの実施例によるさらに有利な点は、比較的安価で見た目も美しい棺を提供できることである。
【発明を実施するための最良の形態】
【００３１】
本発明の実施形態について、添付の図面を参照しながら説明する。
【００３２】
図１は棺の半完成品１０を示す図である。半完成品１０は、２〜３層のライナーに挟まれた１〜２層の波形層を有する段ボール材料から形成されている。半完成品１０は、複数の壁パネルすなわち第１端壁パネル１４、第１側壁パネル１６、第２側壁パネル１８および第２端壁パネル２０に画定される半完成品本体１２を含む。第１端壁パネル１４および第１側壁パネル１６は低強度ライン２２によって区分され、第１側壁パネル１６および第２側壁パネル１８は低強度ライン２４によって区分され、第２側壁パネル１８および第２端壁パネル２０は低強度ライン２６によって区分されている。
【００３３】
半完成品１０は、底板支持部材２８およびフラップ部材３０をさらに含む。底板支持部材２８は、各パネル１４，１６，１８および２０の一方の辺に一体形成され、フラップ部材３０は各パネル１４，１６，１８および２０の対向する辺に一体成形されている。
【００３４】
半完成品本体１２と底板支持部材２８は、低強度ライン３２によって区分されている。半完成品本体１２とフラップ部材３０は、低強度ライン３４によって区分されている。低強度ライン２２，２４，２６，３２および３４は、半完成品１０の加工を容易にする折り曲げ線である。
【００３５】
底板支持部材２８は、第１端部支持部材３６、第１側部支持部材３８、第２側部支持部材４０および第２端部支持部材４２に画定されている。隣接する部材はそれぞれノッチ４４によって分離されている。
【００３６】
フラップ部材３０は、第１端部フラップパネル４６、第１側壁フラップパネル４８、第２側壁フラップパネル５０および第２端部フラップパネル５２に画定されている。第１端部フラップパネル４６および第１側壁フラップパネル４８は、切り欠き部５４によって分離され、それぞれ低強度ライン３４の対応箇所に沿って内側に折り曲げられるようになっている。同様に、第１側壁フラップパネル４８および第２側壁フラップパネル５０、ならびに第２側壁フラップパネル５０および第２端部フラップパネル５２もまた、切り欠き部５４によって分離されている。
【００３７】
図２は棺の側壁組立品５６を示す図である。特に指摘のない限り、図１と同様の参照番号は同様の構成要素を示す。側壁組立品５６は、半完成品１０および挿入物５８を含む。挿入物５８は肉厚の材料で形成されている。挿入物５８は折り曲げ線６３を有する。剛性タイル６０である支持部材は、挿入物５８の切り欠き部にそれぞれ嵌め込まれている。剛性ブロック６２である強化部材は、挿入物５８の上部に設けた切り欠き部にそれぞれ嵌め込まれている。剛性部材の長さは、壁パネルの引き裂き強度に比例する。側壁を形成する時は、フラップ部材３０を、挿入物５８を挟み込むようにして低強度ライン３４で内側に折り曲げればよい。
【００３８】
図３は端部パネル挿入物６４を示す図である。この端部パネル挿入物６４は、中央部６６と、互いに対向する翼状部６８および７０とを備える。翼状部６８と中央部６６とは折り曲げ線７２である低強度ラインによって区分され、中央部６６と翼状部７０とは折り曲げ線７４である低強度ラインによって区分されている。
【００３９】
図４は棺蓋の半完成品本体８０を示す平面図である。半完成品本体８０は、中央パネル８２、第１端部フラップ部材８４、一対の第１側部フラップ部材８６、一対の第２側部フラップ部材８８および第２端部フラップ部材９０を有する。中央パネル８２および各フラップ部材８４，８６，８８および９０は、折り曲げ線９２である低強度ラインによって区分されている。
【００４０】
図５は蓋／底部挿入物１００を示す図である。蓋／底部挿入物１００の側辺には複数の凹部１０２が設けられており、それぞれに剛性ブロック６５である強化部材が接着されている（図では１つのみ）。
【００４１】
棺を形成するにあたり、まず、一対の側壁組立品５６に用いる一対の挿入物５８の組み立てと、蓋挿入物１００の組み立てとを先に行う。剛性タイル６０および剛性ブロック６２を、各挿入物５８の適当な切り欠き部にそれぞれ接着し、剛性ブロック６５を、蓋挿入物１００の凹部１０２にそれぞれ接着する。蓋挿入物１００の凹部１０２は、蓋挿入物１００を取り付けた蓋８０を棺に固定した時に、凹部１０２に接着された剛性ブロック６５が、挿入物５８の切り欠き部に配置された剛性ブロック６２の位置にくるように位置決めされる。
【００４２】
薄膜にあらかじめ印刷されているか、または外面に直接印刷される、個人化を行うための意匠は、機械的処理または手作業によって、半完成品１０および蓋の半完成品本体８０の外面全体に施される。
【００４３】
次に、蓋の半完成品本体８０のフラップ部材８４，８６，８８および９０を、各折り曲げ線９２に沿ってあらかじめ折り曲げておく。同様に、各半完成品１０のフラップ部材３０および底板支持部材２８も、対応する低強度ライン３４および３２に沿ってあらかじめ折り曲げておき、第１端壁パネル１４、第１側壁パネル１６および第２端壁パネル２０も、それぞれ低強度ライン２２、２４および２６に沿ってあらかじめ折り曲げておく。第１端部パネル挿入物６４および第２端部パネル挿入物６４を選択し、その翼状部６８および７０を、各折り曲げ線７２および７４に沿ってあらかじめ折り曲げておく。
【００４４】
次いで、蓋挿入物１００を半完成品本体８０の中央パネル８２の内部表面に接着させることにより、蓋挿入物１００を半完成品本体８０に固着させる。その後、フラップ部材８４，８６，８８および９０を内側に折り曲げ、蓋挿入物１００に接着する。
【００４５】
次に、棺の端壁の１つを形成する。一対の半完成品１０を、第２端部フラップパネル５２、第２端壁パネル２０および第２端部支持部材４２の外縁部が互いに当接するように平らに並べ、端壁当接ラインを形成する。第２端部パネル挿入物６４を、その中心が端壁当接ラインにくるように置き、折り曲げ線７２，７４が各低強度ライン２６と重なり合うようにする。その後、第２端部パネル挿入物６４の中央部６６を、双方の第２端壁パネル２０に接着し、第２端部パネル挿入物６４の翼状部６８，７０を、各半完成品１０の第２側壁パネル１８にそれぞれ接着する。各半完成品１０の第２端部フラップパネル５２は、第２端部パネル挿入物６４の中央部６６に折り重ねて接着する。
【００４６】
その後、あらかじめ組み立てておいた挿入物５８を、各半完成品１０に接着する。両挿入物５８は、一方の挿入物５８の辺１１０が第２端部パネル挿入物６４の辺７６に接するように、また他方の挿入物５８の辺１１０が第２端部パネル挿入物６４の辺７８に接するように、半完成品１０に対してそれぞれ配置される。挿入物５８は、各半完成品１０の第１側壁パネル１６および第２側壁パネル１８にそれぞれ接着される。
【００４７】
第１端部フラップパネル４６、第１端壁パネル１４および第１端部支持部材３６の外縁部をそれぞれ当接させて第１端壁当接ラインを形成する。第１端部パネル挿入物６４を、その中心が端壁当接ラインにくるように置き、各半完成品１０の第１端壁パネル１４に接着する。第１端部パネル挿入物６４の翼状部６８および７０は、各半完成品１０の第１側壁パネル１６にそれぞれ接着する。次いで、各半完成品１０の第１端部フラップパネル４６を、第１端部パネル挿入物６４の中央部６６に折り重ねて接着する。
【００４８】
蓋の半完成品本体８０の中央パネル８２と同寸法、同材質の底部挿入物１００を用意する。底板支持部材２８の各支持部材３６，３８，４０および４２を壁パネル１２に対して略直角に折り曲げることにより、底部挿入物１００を戴置するための棚部を形成する。底部挿入物１００は、底板支持部材２８の支持部材３６，３８，４０および４２に接着される。
【００４９】
この段階で、個人化を行うための薄膜を棺に貼付してもよい。
【００５０】
その後、ハンドル（図示せず）を配置し、各ハンドルに対応する一対の保持部材を先に形成した部分にねじ止めすることにより、
ハンドルを棺に固定する。
【００５１】
防水性ライナー（図示せず）を棺内部に取付け、化粧ライナーをその上に重ねる。蓋は、ねじを各剛性ブロック６５に貫通させて、挿入物５８に設けた剛性ブロック６２に蓋をねじ止めすることによって固定することができる。ボール紙またはその他の材料で作られた棺は破れやすいため、剛性ブロック６２および６５を用いることが有利である。
【００５２】
図６〜図７に本発明のその他の実施形態を示す。図６は、一対の挿入物５８が底部挿入物１００と部分的に連続している実施例を示す図である。底部挿入物１００および一対の挿入物５８は、折り曲げ線である低強度ライン１１８によって区分されている。各挿入物５８は、第１パネル挿入物１２０および第２パネル挿入物１２２を含む。第１パネル挿入物１２０は、肩部接合点１２４から延びる翼状パネル１２１と、肩部接合点１２４近傍に位置する折り曲げ線１２６とを有する。前出の図面に示すように、剛性タイル６０である支持部材は、第１および第２パネル挿入物１２０，１２２の切り欠き部にそれぞれ嵌め込まれ、剛性ブロック６２である強化部材は、第１および第２パネル挿入物１２０，１２２の上部に設けられた切り欠き部にそれぞれ嵌め込まれている。
【００５３】
また、この実施例では、一対の端部パネル６４が底部挿入物１００と部分的に連続している。底部挿入物１００と一対の端部パネル６４は、折り曲げ線である低強度ライン１２８によって区分されている。図３に示すように、各端部パネル６４は、中央部６６と、互いに対向する翼状部６８および７０とを備える。翼状部６８および中央部６６は折り曲げ線７２である低強度ラインによって区分され、中央部６６および翼状部７０は折り曲げ線７４である低強度ラインによって区分されている。
【００５４】
図７に示す実施例では、底部挿入物１００および一対の挿入物５８は、図６に示すものと同じであるが、図６の実施例と異なる点は、端壁挿入物１３０が一対の挿入物５８の各第１パネル挿入物１２０および各第２パネル挿入物１２２の延長部として形成されていることである。各端壁挿入物１３０と対応する第１パネル挿入物１２０または第２パネル挿入物１２２とは、折り曲げ線である低強度ライン１３２によって区分されている。
【００５５】
図示した全ての実施例において、挿入物５８は、肩部接合点を介して強度を与えるように構成されている。
【００５６】
複数の壁パネルは、側壁パネルをいくつ含んでいてもよい。
【００５７】
また、棺の半完成品本体は、１つの側壁パネルならびに第１および第２端壁パネルを備え、底部支持体は１つの側部支持部材および第１および第２端部支持部材を備えていてもよい。
【００５８】
当業者においては、上記実施形態に記載の発明は、その広範な精神または範囲から逸脱することなく、様々に変更および／または改変可能であることを理解されたい。したがって本実施形態は、あらゆる点において発明を説明するものであり、発明を限定するものではない。
【図面の簡単な説明】
【００５９】
【図１】図１は、棺の半完成品を示す平面図である。
【図２】図２は、棺の側壁組立品の第１の実施形態を示す平面図である。
【図３】図３は、図２に示す棺の端部パネル挿入物の第１の実施形態を示す平面図である。
【図４】図４は、棺の蓋を示す平面図である。
【図５】図５は、蓋／底板挿入物を示す平面図である。
【図６】図６は、棺の側壁組立品の第２の実施形態を示す平面図である。
【図７】図７は、棺の側壁組立品の第３の実施形態を示す平面図である。
【図１】
0004842965.tif 000002
【図２】
0004842965.tif 000003
【図３】
0004842965.tif 000004
【図４】
0004842965.tif 000005
【図５】
0004842965.tif 000006
【図６】
0004842965.tif 000007
【図７】
0004842965.tif 000008